(57)【要約】      （修正有）【課題】患者が飲み薬を、正確かつ容易に計量して飲むことが可能な飲み薬カップ及び計量飲み薬セットを提供する。【解決手段】飲み薬カップ１は、外部からカップ側壁を透して内部の飲み薬を見ることが可能であり、患者が飲み薬を１回に飲む量を表示した複数の計量表示２と、計量表示２に応じて患者が飲む日数を表示した飲む日数表示３とを有する。計量飲み薬セットは、外部からボトル側壁を透して内部の飲み薬を見ることが可能なボトルと、飲み薬カップ１と、を有し、ボトルは、患者が飲み薬を飲む日数の薬量を１日毎に１回で飲む量で区分して表示する複数の投薬量表示目盛と、投薬量表示目盛に応じて患者が飲む日数を表示した投薬日数表示とを有し、ボトルの１回で飲む量の区分の投薬量表示目盛に示される飲み薬の量が、飲み薬カップ１の計量表示２に示される飲み薬の量が一致する。【選択図】図１
2013123463.tif 000002
【特許請求の範囲】
【請求項１】
外部からカップ側壁を透して内部の飲み薬を見ることが可能な飲み薬カップであり、
前記カップ側壁に、
患者が飲み薬を１回に飲む量を表示した複数の計量表示と、
前記計量表示に応じて患者が飲む日数を表示した飲む日数表示と、
を有することを特徴とする飲み薬カップ。
【請求項２】
請求項１に記載の飲み薬カップと、ボトルに取り付け可能な投薬キャップとからなり、
前記投薬キャップは、
前記ボトルの密閉蓋を取り外した蓋取付部に取り付け可能な取付部と、
前記ボトルから飲み薬を前記飲み薬カップに注入可能なノズル部とを有することを特徴とする計量飲み薬セット。
【発明の詳細な説明】
【技術分野】
【０００１】
この発明は、病院などで患者に与える飲み薬の計量を兼ねた飲み薬カップ及び計量飲み薬セットに関する。
【背景技術】
【０００２】
病院などで患者に与える飲み薬はボトルに入れ、このボトルには目盛が入っており、例えば看護師が患者に目盛に基づいて計量して飲むように教え、患者は指定された時間毎に目盛に基づいて計量し、飲み薬カップに入れて飲んでいる。また、患者に与える飲み薬の計量を兼ねた飲み薬カップがあり（特許文献１）、患者はボトルから計量を兼ねた飲み薬カップに入れて飲んでいる。
【先行技術文献】
【特許文献】
【０００３】
【特許文献１】特開２００３−７２７６８号公報
【発明の概要】
【発明が解決しようとする課題】
【０００４】
従来のボトルには目盛が入っているものがあるが、患者が１回に飲む量をボトルの目盛に基づいて飲み薬カップに所定量を正確に入れることが困難で、また面倒であり、飲み薬を看護師に指示された通りに飲むことできなかった。
【０００５】
計量を兼ねた飲み薬カップでは、単に計量線が付けられているだけであるから、看護師が患者に飲む日数と１日に飲む量を教えても、患者は何日分の飲み薬か、１日に何回飲むのかを文覚えておくことができず、飲み薬を看護師に指示された通りに飲むことできなかった。
【０００６】
また、計量を兼ねた飲み薬カップには、計量目盛を付けたものがあるが、計量目盛によって何ｍｌと計算して量らなければならず、この計算をするのは面倒であり、しかも飲み薬カップは横幅（太さ）があり、少量がとても量りにくいなどの問題がある。
【０００７】
この発明は、このような実情に鑑みてなされたもので、患者が飲み薬を、正確かつ容易に計量して飲むことが可能な飲み薬カップ及び計量飲み薬セットを提供することを目的とする。
【課題を解決するための手段】
【０００８】
前記課題を解決し、かつ目的を達成するために、この発明は、以下のように構成した。
【０００９】
請求項１に記載の発明は、外部からカップ側壁を透して内部の飲み薬を見ることが可能な飲み薬カップであり、前記カップ側壁に、患者が飲み薬を１回に飲む量を表示した複数の計量表示と、前記計量表示に応じて患者が飲む日数を表示した飲む日数表示と、を有することを特徴とする飲み薬カップである。
【００１０】
請求項２に記載の発明は、請求項１に記載の飲み薬カップと、ボトルに取り付け可能な投薬キャップとからなり、前記投薬キャップは、前記ボトルの密閉蓋を取り外した蓋取付部に取り付け可能な取付部と、前記ボトルから飲み薬を前記飲み薬カップに注入可能なノズル部とを有することを特徴とする計量飲み薬セットである。
【発明の効果】
【００１１】
前記構成により、この発明は、以下のような効果を有する。
【００１２】
請求項１に記載の発明では、患者は、飲み薬カップの日数表示から飲む日数を知ることができ、また計量表示から１回に飲む量を知ることができ、計量表示により飲み薬を、正確かつ容易に計量して飲むことができる。
【００１３】
請求項２に記載の発明では、ボトルの密閉蓋を取り外し、この蓋取付部に投薬キャップの取付部を取り付けることで、ボトルから飲み薬をノズル部によって飲み薬カップに注入し、飲み薬カップによって正確かつ容易に計量して飲むことができる。
【図面の簡単な説明】
【００１４】
【図１】飲み薬カップの斜視図である。
【図２】飲み薬カップの計量表示と日数表示を示す展開図である。
【図３】飲み薬カップの使用状態を示す斜視図である。
【図４】計量飲み薬セットを示し、（ａ）は飲み薬カップの斜視図、（ｂ）は投薬キャップの正面図である。
【図５】投薬キャップの断面図である。
【図６】投薬キャップの取付を説明する図であり、（ａ）はボトルに密閉蓋を取り付けた状態示す図、（ｂ）はボトルから密閉蓋を取り外し投薬キャップを取り付ける状態示す図、（ｃ）はボトルに投薬キャップを取り付ける状態示す図である。
【図７】計量飲み薬セットの使用を説明する図である。
【発明を実施するための形態】
【００１５】
以下、この発明の飲み薬カップ及び計量飲み薬セットの実施の形態について説明する。この発明の実施の形態は、発明の最も好ましい形態を示すものであり、この発明はこれに限定されない。
【００１６】
［飲み薬カップ］
（飲み薬カップの構造）
この実施の形態の飲み薬カップを、図１及び図２に示す。図１は飲み薬カップの斜視図、図２は飲み薬カップの計量表示と日数表示を示す展開図である。
【００１７】
この実施の形態の飲み薬カップ１は、外部からカップ側壁を透して内部の飲み薬を見ることが可能であり、透明の樹脂で形成されているが、ガラスで形成してもよい。この飲み薬カップ１は、外部からカップ側壁を透して内部の飲み薬を見ることが可能でれば、半透明でもよい。また、飲み薬カップ１の大きさや形状も患者が飲み薬を飲むことが可能であれば特に限定されない。
【００１８】
この飲み薬カップ１は、カップ側壁に患者が飲み薬を１回に飲む量を表示した複数の計量表示２と、計量表示２に応じて患者が飲む日数を表示した飲む日数表示３とが形成されている。
【００１９】
計量表示２は、カップ底部から高さ方向に伸びる直線部２ａと、この直線部２ａの上端から水平方向に伸びる直線部２ｂで構成され、この計量表示２はカップ側壁に刻印して着色して形成されるが、刻印、印字などによって形成してもよく、肉眼で容易に見ることができる構造であればよい。
【００２０】
日数表示３は、計量表示２に対応して表示される数字３ａで構成され、この日数表示３はカップ側壁に刻印して着色して形成されるが、刻印、印字などによって形成してもよく、肉眼で容易に見ることができる構造であればよい。
【００２１】
この飲み薬カップ１は、カップ側面に計量表示２と日数表示３とが患者が飲む飲み薬の量に応じて、また飲み薬の種類に応じて複数形成されている。この実施の形態では、カップ側面に計量表示２と日数表示３が７個形成され、１日から７日分の飲み薬に対応できるようになっている。
【００２２】
（飲み薬カップの使用）
次に、飲み薬カップの使用を、図３に基づいて説明する。図３は飲み薬カップの使用状態を示す斜視図である。
【００２３】
この実施の形態の飲み薬カップ１は、病院などで患者に与える飲み薬はボトル１００に入れられているが、患者は、飲み薬カップ１のカップ側壁の日数表示３から飲む日数を知ることができ、また計量表示２から１回に飲む量を知ることができる。例えば、５日分の投薬をする場合、カップ側壁の日数表示３が「５の数字」で示される計量表示２に合わせて飲み薬を入れる。また、例えば、７日分の投薬をする場合、カップ側壁の日数表示３が「７の数字」で示される計量表示２に合わせて飲み薬を入れる。したがって、カップ側面の日数表示３と計量表示２により飲み薬を、正確かつ容易に計量して飲むことができる。
【００２４】
また、飲み薬カップ１の計量表示２は、カップ底部から高さ方向に伸びる直線部２ａと、この直線部２ａの上端から水平方向に伸びる直線部２ｂで構成され、細長い線状であり、かつ１目盛が量り易い上、見易い。また、計量表示２は、複数独立して表示され、１目盛しかないので分かり易い。
【００２５】
［計量飲み薬セット］
（計量飲み薬セットの構造）
この実施の形態の計量飲み薬セットを、図４及び図５に示す。図４は計量飲み薬セットを示し、図４（ａ）は飲み薬カップの斜視図、図４（ｂ）は投薬キャップの正面図であり、図５は投薬キャップの断面図である。
【００２６】
この実施の形態の計量飲み薬セットは、飲み薬カップ１と、ボトル１０に取り付け可能な投薬キャップ４０とからなり、飲み薬カップ１は図１乃至図３に基づいて説明したから説明を省略する。投薬キャップ４０は、樹脂で一体に成形され、ボトル１０の密閉蓋を取り外した蓋取付部１０ａに取り付け可能な取付部４０ａと、ボトル１０から飲み薬を飲み薬カップ１に注入可能なノズル部４０ｂとを有する。
【００２７】
ノズル部４０ｂは、円錐筒状であり、取付部４０ａからノズル部４０ｂに連通して注入通路４０ｃが形成されている。ノズル部４０ｂの先端部には、ノズル開口４０ｂ１が形成され、注入通路４０ｃからの飲み薬がノズル開口４０ｂ１から飲み薬カップ１に注入される。
【００２８】
取付部４０ａは、ボトル１０の蓋取付部１０ａの内側に圧入される挿入部４０ａ１と、蓋取付部１０ａの外側に圧入される覆い部４０ａ２とを有する。ボトル１０の蓋取付部１０ａに取付部４０ａを取り付けることで、挿入部４０ａ１と覆い部４０ａ２が蓋取付部１０ａに密着され、飲み薬の漏れがなくなる。
【００２９】
ボトル１０は、外部からボトル側壁を透して内部の飲み薬を見ることが可能であり、透明の樹脂で形成される。このボトル１０は、外部からボトル側壁を透して内部の飲み薬を見ることが可能でれば、半透明でもよい。また、ボトル１０の大きさや形状も飲み薬カップ１に応じて患者が飲み薬を飲む量に貯留可能であれば特に限定されない。
【００３０】
このボトル１０は、ボトル側壁に患者が飲み薬を飲む日数の薬量を１日毎に１回で飲む量で区分して表示する複数の投薬量表示目盛１２と、投薬量表示目盛１２に応じて患者が飲む日数を表示した投薬日数表示１３とを有する。
【００３１】
投薬量表示目盛１２は、ボトル底部から高さ方向に伸びる直線部１２ａと、この直線部１２ａに設けた１日毎の目盛１２ｂ及び１回で飲む量の目盛１２ｃで構成され、この投薬量表示目盛１２はボトル側面に刻印して着色して形成されるが、刻印、印字などによって形成してもよく、肉眼で容易に見ることができる構造であればよい。
【００３２】
投薬日数表示１３は、投薬量表示目盛１２に対応して数字１３ａで構成され、この投薬日数表示１３日はボトル側壁に刻印して着色して形成されるが、刻印、印字などによって形成してもよく、肉眼で容易に見ることができる構造であればよい。
【００３３】
このボトル１０の１回で飲む量の区分の投薬量表示目盛１２に示され、この１回で飲む量の目盛１２ｃに示される飲み薬の量が、飲み薬カップ１の計量表示に示される飲み薬の量が一致する。
【００３４】
（計量飲み薬セットの使用）
次に、計量飲み薬セットの使用を、図６及び図７に基づいて説明する。図６（ａ）はボトルに密閉蓋を取り付けた状態示す図、図６（ｂ）はボトルから密閉蓋を取り外し投薬キャップを取り付ける状態示す図、図６（ｃ）はボトルに投薬キャップを取り付ける状態示す図、図７は計量飲み薬セットの使用を説明する図である。
【００３５】
ボトル１０の蓋取付部１０ａには、密閉蓋５０が取り付けられており（図６（ａ））、この蓋取付部１０ａから密閉蓋５０を取り外し（図６（ｂ））、この蓋取付部１０ａに投薬キャップ４０の取付部４０ａを取り付ける（図６（ｃ））。ボトル１０の蓋取付部１０ａに、投薬キャップ４０の取付部４０ａを取り付けることで、図５に示すように、挿入部４０ａ１と覆い部４０ａ２がボトル１０の蓋取付部１０ａに密着され、飲み薬が蓋取付部１０ａから漏れることがない。
【００３６】
ボトル１０は、図７に示すように、指によって外圧を与えると、この外圧によりボトル１０が撓み、ボトル１０の内部の飲み薬が投薬キャップ４０のノズル部４０ｂから吐出し、飲み薬カップ１に注入される。ノズル部４０ｂを用いることで、静かに少しずつ注入できることで、飲み薬カップ１によって正確に計量することができる。仮に、飲み薬カップ１に注入した飲み薬の量が多い場合には、指によってボトル１０に外圧を与えて撓ませ、ノズル部４０ｂを飲み薬に入れた状態で外圧を開放するとボトル１０の撓みがなくなり、ノズル部４０ｂから飲み薬をボトル１０の内部に吸入し、飲み薬カップ１に正確な量の飲み薬を注入することができる。
【００３７】
このボトル１０の１回で飲む量の区分の投薬量表示目盛１２に示され、この１回で飲む量の目盛１２ｃに示される飲み薬の量が、飲み薬カップ１の計量表示に示される飲み薬の量が一致する。
【産業上の利用可能性】
【００３８】
この発明は、病院などで患者に与える飲み薬の計量を兼ねた飲み薬カップ及び計量飲み薬セットに適用され、患者が飲み薬を、正確かつ容易に計量して飲むことが可能である。
【符号の説明】
【００３９】
１  飲み薬カップ
２  計量表示
３  日数表示
１０  ボトル
１２  投薬量表示目盛
１３  投薬日数表示
４０  投薬キャップ
４０ａ  蓋取付部
４０ｂ  ノズル部
４０ｂ１  ノズル開口
５０  密閉蓋
【図１】
2013123463.tif 000003
【図２】
2013123463.tif 000004
【図３】
2013123463.tif 000005
【図４】
2013123463.tif 000006
【図５】
2013123463.tif 000007
【図６】
2013123463.tif 000008
【図７】
2013123463.tif 000009